(57)【要約】【課題】画像処理の段階を管理することなく、必要な処理を自動的に実行することができるようにする。【解決手段】  画像データに対して所定の処理を実行する複数の処理部品を含む処理部品群５１と、前記処理部品群５１の各々の処理部品５１ａ，５１ｂの処理順を部品単位で制御する処理部品制御手段５２とを備え、画像読み取り部１あるいは外部Ｉ／Ｆ部３から画像データを入力し、入力された画像データを画像メモリ部に蓄積し、前記処理部品５１ａ，５１ｂで行われた各処理内容をその都度画像データに対して埋め込み、埋め込まれた内容を抽出して処理内容を切り替えて出力する。【選択図】図１
2007067871.tif 000002
【特許請求の範囲】
【請求項１】
画像データに対して所定の処理を実行する複数の処理部品を含む処理部品群と、
前記処理部品群の各々の処理部品の処理順を部品単位で制御する処理部品制御手段と、
を備え、前記処理部品で行われた各処理内容をその都度画像データに対して埋め込み、埋め込まれた内容を抽出して処理内容を切り替えることを特徴とする画像データ処理装置。
【請求項２】
前記処理部品によって実行される所定の処理が、補正、加工、認識、編集、データ埋め込み・抽出の１つであることを特徴とする請求項１に記載の画像データ処理装置。
【請求項３】
前記処理部品制御部によって実行される部品単位の処理が、蓄積用処理または出力用処理であることを特徴とする請求項１又は２に記載の画像データ処理装置。
【請求項４】
画像データを入力する入力手段と、
入力された画像データを蓄積する記憶手段と、
請求項１ないし３のいずれか１項に記載の画像データ処理装置と、
前記画像データ処理装置によって処理された画像データを出力する出力手段と、
を備えていることを特徴とする画像処理装置。
【請求項５】
前記画像データが画像読み取り手段又は外部Ｉ／Ｆ部から入力されたものであることを特徴とする請求項４記載の画像処理装置。
【請求項６】
前記画像データが外部Ｉ／Ｆ部、画像書き込み手段、大容量記憶手段のいずれかに出力されることを特徴とする請求項４又は５記載の画像処理装置。
【請求項７】
請求項４ないし６のいずれか１項に記載の画像処理装置を備えていることを特徴とする画像形成装置。
【請求項８】
入力画像データに対して複数の処理部品によって処理し、処理された画像データを出力する画像データ処理方法において、
前記処理部品群の各々の処理部品の処理順を部品単位で制御するとともに、前記処理部品で行われた各処理内容をその都度画像データに対して埋め込み、埋め込まれた内容を抽出して処理内容を切り替えることを特徴とする画像データ処理方法。
【発明の詳細な説明】
【技術分野】
【０００１】
この発明は、入力された画像データに対して所望の処理を実行する画像データ処理方法、この画像データ処理方法を実行するための画像データ処理装置、この画像データ処理装置を備えた画像処理装置、この画像処理装置を備えたコピー、ファクス、プリンタ、スキャナ、画像データの蓄積等の機能を複合したデジタル複合機などの画像形成装置に関する。
【背景技術】
【０００２】
近年の複合機（ＭＦＰ）ではコピー機能、スキャナ機能、ＦＡＸ機能、プリンタ機能の強化により、処理フローが複雑化している。これはユーザの多様な要求を網羅しようとして、機能をどんどん搭載していった結果である。これにより、ＡＳＩＣなどに代表される実際に画像処理を行うハードウェアは肥大化し、またそれらを制御するソフトウェアは複雑になり、開発納期の長期化という問題が発生している。
【０００３】
しかし、開発納期の短縮は常に叫ばれており、その一つの解としてプログラマブルなＤＳＰなどが使われるケースが増えてきている。この場合、コスト面ではＡＳＩＣのような専用ハードウェアに劣るものの、その都度必要な機能を自由にプログラミングできる自由度の高さが特徴となる。例えば、スキャナで読み込んだ画像データをメモリに展開しておき、ＤＳＰに行いたい処理のプログラムコードをダウンロードして処理を開始すれば、該当する処理だけ行われ、再びメモリに処理済のデータを得ることができる。これを繰り返すことにより、従来多機能の専用ハードウェアで行っていた複雑な処理も実現できる。さらには、もし新たに開発された処理を搭載したいときは、プログラムコードをソフト的に持たせるだけで対応が可能になる。
【０００４】
これをＡＳＩＣでやろうとすると、開発済みの機能を必要なだけ回路にする必要があり、開発後の新たな要求には対応できない。もちろん、ＤＳＰのようなプログラマブルなものに補助的にハードを追加することは有効である。ＤＳＰが何でもできると言っても、処理内容によっては向き不向きがあり、ハードで実装する場合の数十倍の処理時間がかかってしまっては現実的ではない。
【０００５】
この種の技術として例えば特許文献１または２に記載された発明が知られている。このうち特許文献１には、複数系統から入力される異なる画像データにそれぞれ対応した画像処理に迅速に切り替えて行うことで、高効率の画像処理を可能にすることを目的として、異なる複数系統の画像データが個別に入出力され各系統の画像データの入出力を制御する入出力制御手段と、前記各系統から入力された画像データそれぞれに対応する所定の画像処理を施し出力する画像処理手段とを備えた画像処理装置において、前記画像処理手段は、プログラマブルに画像処理内容が変更可能であり、前記複数系統の入出力制御手段に入力される画像データの所定位置に配置された付加情報に基づき、該画像データに対応した画像処理内容に変更し、各系統の画像データの画像処理を並列処理可能なことを特徴とする画像処理装置が記載されている。
【０００６】
また、特許文献２には、撮影装置の色再現特性および撮影意図を反映した画像処理を施した画像出力を実現することを目的として、画像データ生成装置であって、原画像データを入力する原画像データ入力手段と、前記原画像データに施されるべき画像処理の内容を特定する画像処理制御データを設定する画像処理制御データ設定手段と、前記画像処理制御データを前記原画像データに電子透かし化して埋め込んだ画像データを生成する画像データ生成手段とを備える画像データ生成装置が記載されている。
【発明の開示】
【発明が解決しようとする課題】
【０００７】
前記従来技術では、さまざまな処理を行える半面、画像に対してどこまで処理を行ったのか管理しなくてはならない。例えば、スキャナγの補正処理、色変換処理、フィルタ処理、変倍処理、マスク処理、中間調処理、像域分離処理、ミラーリング、反転処理などユーザ要求によって処理は多種多様であり、これらを処理する順番やどこまで処理を行ったかなど、並行動作を含めるとかなり複雑な管理が必要である。
【０００８】
本発明は、このような背景に鑑みてなされたもので、その目的は、画像処理の段階を管理することなく、必要な処理を自動的に実行することができるようにすることにある。
【課題を解決するための手段】
【０００９】
前記目的を達成するため、第１の手段は、画像データに対して所定の処理を実行する複数の処理部品を含む処理部品群と、前記処理部品群の各々の処理部品の処理順を部品単位で制御する処理部品制御手段とを備え、前記処理部品で行われた各処理内容をその都度画像データに対して埋め込み、埋め込まれた内容を抽出して処理内容を切り替える画像データ処理装置を特徴とする。
【００１０】
第２の手段は、第１の手段において、前記処理部品によって実行される所定の処理が、補正、加工、認識、編集、データ埋め込み・抽出の１つであることを特徴とする。
【００１１】
第３の手段は、第１又は第２の手段において、前記処理部品制御部によって実行される部品単位の処理が、蓄積用処理または出力用処理であることを特徴とする。
【００１２】
第４の手段は、画像データを入力する入力手段と、入力された画像データを蓄積する記憶手段と、第１ないし第３のいずれかの手段に係る画像データ処理装置と、前記画像データ処理装置によって処理された画像データを出力する出力手段と、を備えた画像処理装置を特徴とする。
【００１３】
第５の手段は、第４の手段において、前記画像データが画像読み取り手段又は外部Ｉ／Ｆ部から入力されたものであることを特徴とする。
【００１４】
第６の手段は、第４又は第５の手段において、前記画像データが外部Ｉ／Ｆ部、画像書き込み手段、大容量記憶手段のいずれかに出力されることを特徴とする。
【００１５】
第７の手段は、第４ないし第６のいずれかの手段に係る画像処理装置を画像形成装置が備えていることを特徴とする。
【００１６】
第８の手段は、入力画像データに対して複数の処理部品によって処理し、処理された画像データを出力する画像データ処理方法において、前記処理部品群の各々の処理部品の処理順を部品単位で制御するとともに、前記処理部品で行われた各処理内容をその都度画像データに対して埋め込み、埋め込まれた内容を抽出して処理内容を切り替えることを特徴とする。
【００１７】
なお、後述の実施形態において、処理部品は参照符号５１ａ，５１ｂに、処理部品群は参照符号５１に、処理部品制御手段は処理部品制御部５２に、画像データ処理装置は画像処理部５に、入力手段は画像読み取り部１又は外部Ｉ／Ｆ部３に、記憶手段は画像メモリ部に、出力手段は外部Ｉ／Ｆ部３、画像書き込み部２、大容量記憶部６にそれぞれ対応する。
【発明の効果】
【００１８】
本発明によれば、画像データそのものに処理を行う内容を電子的に埋め込んでおき、それを処理部品が自動的に検出・処理実行・再埋め込むので、どこまで処理した画像データなのか制御するソフトウェアが意識することがなくなり、その結果、画像処理の段階を管理することなく、必要な処理を自動的に実行することができる。そのため、処理部品がアイドル状態の時に処理待ちの画像データを送り込むだけで、処理をどんどん進めることが可能となり、画像データの管理が非常に簡単になる。
【発明を実施するための最良の形態】
【００１９】
以下、本発明の実施形態について図面を参照して説明する。
【００２０】
図１は本発明の実施形態に係る画像処理装置の一例を示すブロック図である。同図において、画像処理装置は、スキャナなどで原稿を読み取る画像読み取り部１、プリンタなどで画像データを紙などのメディアに出力する画像書き込み部２、外部メディア（ＣＤ・ＤＶＤ・ＳＤカード等）や外部装置（ＰＣ等）と画像データを送受信する外部Ｉ／Ｆ部３、読み取った又は外部から入力された画像データを一時的に蓄積する画像メモリ部４、画像データに対して、補正、加工、認識、編集、データ埋め込み・埋め込みデータ抽出などの画像処理を行う画像処理部５、及びバックアップや再利用等のために画像データを保存しておく大容量記憶部６から構成される。
【００２１】
画像処理部５はさらに各々個別の画像処理を行う処理部品５１ａ，５１ｂ（以下、処理部品群は参照符号５１で示す）と、これらの処理部品５１ａ，５１ｂの処理順序の制御を含めて制御する処理部品制御部５２とからなる。また、画像メモリ４には、複数のメモリ４ａ，４ｂ，４ｃが設けられている。
【００２２】
図２は本実施形態における処理手順の一例を示すフローチャートである。  
図２の処理手順では、まず、入力画像データが画像処理装置に入力され（ステップＳ１）、処理情報の抽出が行われる（ステップＳ２）。しかし、入ったばかりのデータなので、処理情報は何も検出されない。そのため、処理を行う前に処理情報の埋め込みが必要である。このとき、入力側からどのような処理が必要なのか通知され、それを元に埋め込み処理が行われる。そこで、ステップＳ３で処理情報があるかどうかをチェックし、あれば処理終了か否かをチェックする（ステップＳ４）。ステップＳ３で処理情報がなければ、ステップＳ７で処理情報を埋め込む。
【００２３】
ここで言う処理情報の埋め込み・抽出は通常の画像データにヘッダやタグをつけて行っても良いが、この場合フォーマットが独自なものになってしまう。そこで、外部へ送出された画像データの汎用性を考慮すると、このシステムに固有のフォーマットを作る方法より、画像データ自体に埋め込むような方法が望ましい。このため、本実施形態では画像データに直接情報を埋め込むことを想定している。画像データ自体に埋め込む方法は、画像データを加工することになり厳密には画質が劣化することになるが、劣化がほとんど分からないような発明が既に提案されている。例えば特開平９−１９１３９４号公報等に記載されている電子透かしと言われる技術を用いることにより劣化がほとんど分からないようにすることができる。
【００２４】
前記透かしは、データの周波数スペクトラム画像、好ましくはデータのフーリエ変換によって行われる。すなわち、透かしは周波数スペクトラム画像の知覚的に重要な成分に挿入され、結果的に透かし処理されたスペクトラム画像は逆変換を施されることによって、透かし処理されたデータが生成される。透かしは、透かし処理されたデータとオリジナルのデータとを最初に比較して透かしを抽出することにより透かし処理されたデータから抽出される。この抽出されたデータからオリジナルの透かし、オリジナルデータ、および抽出された透かしが比較され、透かしの真正さが分析される。
【００２５】
例えば前記電子透かしのような方法で処理情報が埋め込まれた画像データはステップＳ２で処理情報が抽出され、その抽出された情報に基づいて処理に必要なプログラムコードが処理部品に展開される（ステップＳ３，Ｓ４，Ｓ５）。また、処理情報情報抽出する際、埋め込まれている情報の除去が行われる。これは情報を残したまま処理を行うと埋め込みデータの化けや画質への劣化を考慮した結果である。実行される処理内容としては補正、加工、認識、編集、データ埋め込み・抽出などであるが、処理のプログラムコードが生成できるならばこれ以外にも適用可能である。
【００２６】
処理部品展開後に画像データへの画像処理が実施される（ステップＳ６）。ここで行われる画像処理は、単一もしくは限られた処理だけ行い、行った処理内容及び残りの処理内容が埋め込まれる（ステップＳ７）。そして、再び処理情報を抽出し（ステップＳ２）、処理コード展開→処理実行→処理埋め込み→処理抽出（Ｓ３→Ｓ４→Ｓ５→Ｓ２）が繰り返される。この繰り返しは入出力で必要な画像処理内容と一度にできる処理量に依存する。全ての処理が終了したら（ステップＳ４−ＹＥＳ）その旨を埋め込み、出力先を選択して（ステップＳ８）画像データが出力される（ステップＳ９）。この出力先も最初の処理情報埋め込み時に書き込まれておくと良い。
【００２７】
さらには最終出力ではなく、途中まで処理を行う場合も考えられる。その場合は、その入力情報に基づいて処理情報が埋め込まれ、処理情報が画像に残されたままハードディスクなどの大容量記憶装置に蓄積される。これを必要に応じて再び処理フローに乗せることで、同様に出力することが可能である。
【００２８】
図３は画像読み取り部１から画像データが入力され、画像処理部５で各種画像処理が行われて画像書き込み部２に出力される場合のデータの流れの一例を示す図である。画像読み取り部１で読み取られた画像データは一旦画像メモリ部４のメモリ４ａに蓄積される（Ａ）。画像読み取り部１では通常の読み取り動作の他にライン間補正やシェーディング補正などの主にスキャナに依存する補正も行う。これによって、いろいろなスキャナが接続されても、メモリ４ａ上では画像読み取り部（スキャナ）１に依存しない一定の画像データを得ることができる。また、どのような処理を行うのか、画像処理部５の処理部品制御部５２へと通知を行う。このとき、具体的な内容は処理部品制御部５２に持っておき、対応する処理ＩＤを通知する。
【００２９】
メモリ４ａ上の画像データは画像処理部５において前記図２のフローチャートによる処理情報の検出・画像処理・処理情報の埋め込みが行われる。処理部品５１ａでは初期状態において、処理情報の検出又は埋め込み用の処理コードが展開されている（Ｂ）。最初は画像読み取り部１からのそのままの画像データであるため、処理情報が検出されない。よって、画像読み取り部１から通知される処理ＩＤに基づいて、処理部品制御部５２が処理情報を画像に埋め込み、画像データはメモリ４ｂに戻る（Ｃ）。処理情報には処理の内容・順序・各種書誌情報などである。後で必要になる出力先も含まれる。
【００３０】
最初の処理情報の埋め込みが終わった画像データは、再度メモリ部４ｂから画像処理部５に転送される（Ｄ）。今回は処理情報が検出され、処理部品５１ｂに必要な画像処理のプログラムコードの展開が行われるとともに、埋め込み情報は消去される。画像データはメモリ４ｃに一時的に退避され（Ｅ）、処理部品５１ｂは次に入ってくる画像データに対しては処理情報検出を行わず、展開されたプログラムコードに従って処理を行う。よって、埋め込み情報が消去され、メモリ４ｃに退避している画像データのみが処理対象である。他の画像データが入力できないように制御するソフトウェアで画像データを管理する必要がある。
【００３１】
画像処理のプログラムコードは、画像読み取り部１から通知された処理ＩＤに対応する指定された処理内容の組み合わせが処理部品５１で扱うには大きすぎる場合、又は処理部品５１では速度が間に合わない場合、その処理部品５１で扱える範囲のものが展開される。処理部品５１の対象となる画像データは画像処理部５に転送されて（Ｆ）、ここで画像読み取り部１から通知された処理ＩＤに対応する画像処理が実行され、終了後またメモリ４ｃに戻される（Ｇ）。処理が終わった処理部品５１ｂのプログラムコードは消去され、代わりに処理情報検出・埋め込み用のコードの展開を行う。ここに再び画像処理の終わった画像データが入力され、終了した処理情報、またやり残してある処理情報を埋め込む。これを元に全ての処理が終わるまで処理情報の検出・処理コードの展開・処理の実行・処理情報の埋め込みが繰り返されることとなる。
【００３２】
そして、最後まで処理が実行された後、埋め込まれた処理情報に記載されている出力先に画像データが出力される。今回は出力先が画像書き込み部２なので、画像書き込み部２から紙などのメディアに出力されることとなる。この出力用の画像データは、処理情報を除去されたものであるが、処理内容によっては地紋のようなもので処理情報を別途埋め込んでも良い。これはここで扱う処理情報の埋め込みではなく、紙などのメディア上で実現する、別の画像処理としての扱いになる。
【００３３】
図４は外部Ｉ／Ｆ部３から画像データが入力され、画像処理部５で各種画像処理が行われて画像書き込み部２に出力される場合のデータフローの一例である。この例は図３の例とは入力が異なるだけで、処理内容は図３の場合と同様である。
【００３４】
図５は画像読み取り部１から画像データが入力され、画像処理部５で各種画像処理が行われて外部Ｉ／Ｆ部３に出力される場合のデータフローの一例である。この例は、図３の例とは出力が異なるだけで、処理内容は図３の場合と同様である。
【００３５】
図６は外部Ｉ／Ｆ部３から画像データが入力され、画像処理部５で各種画像処理が行われて外部Ｉ／Ｆ部に出力される場合のデータフローの一例である。この例は図５の例とは入力が異なるだけで、処理内容は図５の場合と同様である。
【００３６】
図７は画像読み取り部１から画像データが入力され、画像処理部５で各種画像処理が行われて大容量記憶部６へと蓄積されるデータフローの一例である。基本的なフローは上述の図３又は図５と同様であるが、最終出力で処理情報の除去を行わず（Ｈ）、埋め込まれたままにしておく。通常、再出力のようなケースではユーザーは処理内容を再び指定することはない。よって再度大容量記憶部６から取り出したときにそのまま処理部品５１ｂにて処理を行うためである。ただし、ユーザが出力の条件を変えてきた場合には処理情報の改変を行う必要がある。そのときには一旦処理情報を抽出し、再度処理情報の埋め込みを行えば良い。
【００３７】
図８は外部Ｉ／Ｆ部３から画像データが入力され、画像処理部５で各種画像処理が行われて大容量記憶部６へと蓄積されるデータフローの一例である。この例は図７の例とは入力が異なるだけで、処理内容は図７の場合と同様である。
【００３８】
今回は処理情報の検出＆処理コードの展開・処理の実行・処理情報の埋め込みのそれぞれを処理部品で行ったが、処理情報の埋め込み＆検出を画像データ全体に行う必要がなく、部分的に行うことができれば処理情報の埋め込み及び検出と処理の実行を一度に行っても良い。その場合は処理部品５１に一定量のバッファメモリが必要になるが、データバスの制御などが簡単になる。
【００３９】
処理部品５１も最小構成では１つだけであるが、必要に応じて複数個用意しても良い。その分、処理部品制御部５２では処理部品５１のリソース管理は複雑になるが、１つのデータを直列に処理したり、又は複数の画像データを並列に処理したりと処理のバリエーションが豊富になる。
【００４０】
なお、処理部品制御部５２に設けられた図示しないＣＰＵが図示しないＲＯＭに格納されたプログラムを図示しないＲＡＭをワークエリアとして使用し、部品単位で蓄積用処理または出力用処理、処理の順序の制御が実行される。また、各処理部品５１ａ，５１ｂ毎にＣＰＵ、ＲＯＭ、ＲＡＭを備え、各ＣＰＵの処理によって各処理部品に割り当てられた補正、加工、認識、編集、データ埋め込み・抽出の１つ処理を実行する。ここでは、処理部品群５１を構成する各処理部品毎に画像データそのものにどのような処理を行えばよいか、また処理順序はどうすれば良いかを予め埋め込んでおき、処理部品がその内容を認識することによって、画像処理の段階を管理することなく、必要な処理を自動的に実行する。
【００４１】
図９は図１に示した画像処理装置を備えた画像形成装置の機械的構成の一例を示す図である。同図において、ディジタル複写機はモノクロ画像形成用のもので本体４００と、画像形成装置本体４００の上部の設置された画像読み取り装置５００と、さらにその上に装着された自動原稿給送装置（以下、「ＡＤＦ」と称す）５５０と、画像形成装置本体４００の同図において右側に配置された大容量給紙装置７００と、画像形成装置本体４００の同図において左側に配置された用紙後処理装置８００とから基本的に構成されている。
【００４２】
画像形成装置本体４００は画像書き込み部４１０と、作像部４２０と、定着部４３０と、両面搬送部４４０と、給紙部４５０と、垂直搬送部４６０と、手差し部４７０とからなる。
【００４３】
画像書き込み部４１０は画像読み取り装置５００で読み取った原稿の画像情報に基づいて発光源であるＬＤを変調し、ポリゴンミラー、ｆθレンズなどの走査光学系により感光体ドラム４２１にレーザ書き込みを行うものである。作像部４２０は感光体ドラム４２１と、この感光体ドラム４２１の外周に沿って設けられた現像ユニット４２２、転写ユニット４２３、クリーニングユニット４２４及び除電ユニットなどの公知の電子写真方式の作像要素とからなる。
【００４４】
定着部４３０は前記転写ユニット４２３で転写された画像を転写紙に定着する。両面搬送部４４０は定着部４２０の転写紙搬送方向下流側に設けられ、転写紙の搬送方向を用紙後処理装置８００側、あるいは両面搬送部４４０側に切り換える第１の切換爪４４１と、第１の切換爪４４１によって導かれた反転搬送路４４２と、反転搬送路４４２で反転した転写紙を再度転写ユニット４２３側に搬送する画像形成側搬送路４４３と、反転した転写紙を用紙後処理装置８００側に搬送する後処理側搬送路４４４とを含み、画像形成側搬送路４４３と後処理側搬送路４４４との分岐部には第２の切換爪４４５が配されている。
【００４５】
給紙部４５０は４段の給紙段からなり、それぞれピックアップローラ、給紙ローラによって選択された給紙段に収納された転写紙が引き出され、垂直搬送部４６０に導かれる。垂直搬送部４６０では、各給紙段から送り込まれた転写紙を転写ユニット４２３の用紙搬送方向上流側直前のレジストローラ４６１まで搬送し、レジストローラ４６１では、感光体ドラム４２１上の顕像の画像先端とタイミングを取って転写紙を転写ユニット４２３に送り込む。手差し部４７０は開閉自在な手差しトレイ４７１を備え、必要に応じて手差しトレイ４７１を開いて転写紙を手差しにより供給する。この場合もレジストローラ４６１で転写紙の搬送タイミングが取られ、搬送される。
【００４６】
大容量給紙装置７００は同一サイズの転写紙を大量にスタックして供給するもので、転写紙が消費されるにしたがって底板７０２が上昇し、常にピックアップローラ７０１から用紙のピックアップが可能に構成されている。ピックアップローラ７０１から給紙される転写紙は、垂直搬送部４６０からレジストローラ４６１のニップまで搬送される。
【００４７】
用紙後処理装置８００はパンチ、整合、ステイプル、仕分けなどの所定の処理を行うもので、この実施形態では、前記機能のためにパンチ８０１、ステイプルトレイ（整合）８０２、ステイプラ８０３、シフトトレイ８０４を備えている。すなわち、画像形成装置４００から用紙後処理装置８００に搬入された転写紙は、孔明けを行う場合にはパンチ８０１で１枚ずつ孔明けが行われ、その後、特に処理するものがなければ、プルーフトレイ８０５へ、ソート、スタック、仕分けを行う場合にはシフトトレイ８０４にそれぞれ排紙される。仕分けは、この実施形態は、シフトトレイ８０４が用紙搬送方向に直交する方向に所定量往復動することにより行われる。このほかに、用紙搬送路で用紙を用紙搬送方向と直交する方向に移動させて仕分けを行うこともできる。
【００４８】
整合する場合には、孔明けが行われた、あるいは孔明けが行われていない転写紙が下搬送路８０６に導かれ、ステイプルトレイ８０４において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２個所など所定の位置がステイプラ８０３によって綴じられ、放出ベルトによってシフトトレイ８０４に排紙される。また、この実施形態では、下搬送路８０６にはプレスタック搬送路８０７が設けられ、搬送時に複数枚の用紙をスタックし、後処理中の画像形成装置本体４００側の画像形成動作の中断を避けることができるようになっている。
【００４９】
画像読み取り装置５００は、ＡＤＦ６００によってコンタクトガラス５１０上に導かれ、停止した原稿を光学的にスキャンし、第１ないし第３のミラーを経て結像レンズで結像された読み取り画像をＣＣＤやＣＭＯＳなどの光電変換素子によって読み取る。読み取られた画像データは、図示しない画像処理回路で所定の画像処理が実行され、記憶装置に一旦記憶される。そして、画像形成時に画像書き込み部４１０によって記憶装置から読み出され、画像データに応じて変調し、光書き込みが行われる。
【００５０】
ＡＤＦ５５０は両面読み取り機能を有するもので、画像読み取り装置５００のコンタクトガラス５１０設置面に開閉自在に取り付けられている。このＡＤＦ５５０では、原稿載置台５５１に載置された原稿が原稿読み取り時に自動的にコンタクトガラス５１０上に送り出される。
【図面の簡単な説明】
【００５１】
【図１】本発明の実施形態に係る画像処理装置の一例を示すブロック図である。
【図２】本実施形態における処理手順の一例を示すフローチャートである。
【図３】画像読み取り部から画像データが入力され、画像処理部で各種画像処理が行われて画像書き込み部に出力される場合のデータの流れの一例を示す図である。
【図４】外部Ｉ／Ｆ部から画像データが入力され、画像処理部で各種画像処理が行われて画像書き込み部に出力される場合のデータフローの一例を示す図である。
【図５】画像読み取り部から画像データが入力され、画像処理部で各種画像処理が行われて外部Ｉ／Ｆ部に出力される場合のデータフローの一例を示す図である。
【図６】外部Ｉ／Ｆ部から画像データが入力され、画像処理部で各種画像処理が行われて外部Ｉ／Ｆ部に出力される場合のデータフローの一例を示す図である。
【図７】画像読み取り部から画像データが入力され、画像処理部で各種画像処理が行われて大容量記憶部へと蓄積されるデータフローの一例を示す図である。
【図８】外部Ｉ／Ｆ部から画像データが入力され、画像処理部で各種画像処理が行われて大容量記憶部へと蓄積されるデータフローの一例を示す図である。
【図９】図１に示した画像処理装置を備えた画像形成装置の機械的構成の一例を示す図である。
【符号の説明】
【００５２】
１  画像読み取り部
２  画像書き込み部
３  外部Ｉ／Ｆ部
４  画像メモリ部
４ａ，４ｂ，４ｃ  メモリ
５  画像処理部
５１  処理部品群
５１ａ，５１ｂ  処理部品
５２  処理部品制御部
６  大容量記憶部
【図１】
2007067871.tif 000003
【図２】
2007067871.tif 000004
【図３】
2007067871.tif 000005
【図４】
2007067871.tif 000006
【図５】
2007067871.tif 000007
【図６】
2007067871.tif 000008
【図７】
2007067871.tif 000009
【図８】
2007067871.tif 000010
【図９】
2007067871.tif 000011